(57)【要約】      （修正有）【課題】輝度が高く、幻想的な光を長時間発することができ、それでいて比較的安価な装飾性に富むグリーティングカードとキットを提供する。【解決手段】カード基材３，３’の表面に吸・保液性を有する装飾部材４を配し、前記装飾部材に、互いに混合されることにより化学反応で発光する２種の液体を含浸させた。【選択図】図２
0003107387.tif 000002
【実用新案登録請求の範囲】
【請求項１】
カード基材の表面に吸・保液性を有する装飾部材を配し、前記装飾部材に、互いに混合されることにより化学反応で発光する２種の液体を含浸させたことを特徴とするグリーティングカード。
【請求項２】
吸・保液性を有する装飾部材が、ボリュームのある綿状体で代表される立体物からなる請求項１に記載のグリーティングカード。
【請求項３】
吸・保液性を有する装飾部材が、シート状体で代表される平面物からなる請求項１に記載のグリーティングカード。
【請求項４】
吸・保液性を有する装飾部材が複数である請求項１ないし３のいずれかに記載のグリーティングカード。
【請求項５】
カード基材の表面に吸・保液性を有する装飾部材を配したカード本体と、互いに混合されることにより化学反応で発光する第１と第２の２種の液体を収容した容器のセットからなるグリーティングカードセット。
【請求項６】
吸・保液性を有する装飾部材が、ボリュームのある綿状体で代表される立体物からなる請求項５に記載のグリーティングカードキット。
【請求項７】
吸・保液性を有する装飾部材が、シート状体で代表される平面物からなる請求項５に記載のグリーティングカードキット。
【請求項８】
吸・保液性を有する装飾部材が複数である請求項５ないし７のいずれかに記載のグリーティングカードキット。
【考案の詳細な説明】
【技術分野】
【０００１】
本考案はクリスマスカードなどのグリーティングカードとグリーティングカードセットに関する。
【背景技術】
【０００２】
クリスマス、暑中見舞い、誕生日や結婚祝などさまざまな機会にカードを贈答することが多くなっている。
かかるグリーティングは多種多様なものがあり、そのうち、光を発するタイプのカードとしては、光源とこれからの光をカード表面に導いて放散させるようにした電気式のものがあるが、構造が複雑で、電子部品や電気回路を用いるので、高価になるという難点があった。
【０００３】
安価なタイプとしては、基材上に印刷により絵柄を施し、その絵柄の要部に金粉や銀粉などの金属粉を付着させたものがあるが、光沢感があるだけでインパクトや表現力に乏しい問題があった。
絵柄に夜光塗料を塗着したものもあるが、輝度が低く、光っている時間が短く、平面的で面白みに欠ける難点があった。基材に面状のホログラム層を設け、あるいは回折素子片を接着したものなどもあるが、やはり平面的な印象は否めず、しかも、従来のカードはすべてメーカー側が光る部分や発光パターンを特定して製造していたので、必ずしもカードを受け取った者の好みに合うものではなく、光量、光る場所などを独自に創成したオリジナルなカードにすることができないいという問題があった。
【考案の開示】
【考案が解決しようとする課題】
【０００４】
本考案は前記のような問題点を解消するためになされたもので、その目的とするところは、輝度が高く、幻想的な光を長時間発することができ、それでいて比較的安価な装飾性に富むグリーティングカードを提供することにある。
また、本考案の他の目的は、前記目的に加えてカードの所有者が自分独自の光量、光る場所などを創成してオリジナルなカードとして楽しむことができるグリーティングカードキットを提供することにある。
【課題を解決するための手段】
【０００５】
上記目的を達成するため本考案のグリーティングカードは、カード基材の表面に吸・保液性を有する装飾部材を配し、前記装飾部材に、互いに混合されることにより化学反応で発光する２種の液体を含浸させたことを特徴としている。
【０００６】
また、本考案によるグリーティングカードキットは、カード基材の表面に吸・保液性を有する装飾部材を配したカード本体と、互いに混合されることにより化学反応で発光する第１と第２の２種の液体を収容した容器のセットからなることを特徴としている。
【考案の効果】
【０００７】
本考案のグリーティングカードによるときには、装飾部材が吸・保液性を有していて２液を含浸することによる化学反応で鮮やかな蛍光色で発光し、かつ長時間にわたり高輝度が持続される。この鮮やかな発光はカード基材表面に配した装飾部材から発せられるので、カードの正面だけでなく、側方、上方、下方などさまざまな方向から視認でき、ユニークで幻想的な雰囲気を創成することができる。
【０００８】
また、本考案のキットによれば、カードの受取人が、基材表面に配された装飾部材に対する２液の含浸量を一様あるいは変化させて塗布することにより、独自の個性的な発光度合いを作り出して楽しむことができる。
【考案を実施するための最良の形態】
【０００９】
好適な態様の１つは、吸・保液性を有する装飾部材が、ボリュームのある綿状体で代表される立体物からなる。
これによれば、装飾部材がカード基材の表面に盛り上がっているのでカードそれ自体が立体的であるうえに、立体形状の装飾部材が鮮やかな蛍光色でかなり長時間にわたり発光を持続する。そのため、カードの正面だけでなく、側方、上方、下方など１８０度のどの方向からも視認でき、ユニークで幻想的な雰囲気を創成することができる。
装飾部材が綿状体である場合、可縮性に富むので、包装時には圧偏して比較的平らな形態とすることができ、使用時にはカード本体からボリュームをもってふんわりと膨出し、また２液を塗布することにより十分な量を含浸保持でき、しかも細かい繊維が柔らかな輪郭を創成するので、まぶしくかつふんわりした幻想的な光りの造形形成することができる。
【００１０】
好適な態様の１つは、吸・保液性を有する装飾部材が、シート状体で代表される平面物からなる。
これによれば、特定の形状をかたどった装飾にしやすく、それが鮮やかな蛍光色でかなり長時間にわたり発光を持続するので、特定の意味合いを持たせやすくすることができ、また装飾部材が平らなので、扁平包装をしやすくすることができる。
【００１１】
好適な態様は、前記装飾部材が複数である。これによれば、装飾部材を選択して基材表面に配された装飾部材のうち任意のものを選択して２液を塗布し、その含浸量を一様あるいは変化させて塗布することにより、独自の個性的な発光度合い、発光位置、発光数の発光形態を作り出して楽しむことができる。
【実施例１】
【００１２】
以下添付図面を参照して本考案の実施例を説明するが、図示するものに限定されるものではない。
図１ないし図４は本考案によるグリーティングカードキットの第１実施例を示しており、図１において、１はカード本体、２は発光液セットであり、それらカード本体１と発光液セット２は、包装部材８に装填密封されている。
【００１３】
前記カード本体１はこの例ではクリスマスカードであり、比較的厚手の紙質などからなるカード基材３にステー用のカード基材３’を連結し、使用時にカード基材３’を開いてテーブルなどに置くことで図２や図３のように起立状に保持されるようになっている。
カード基材３はこの例ではツリー状の輪郭を有し、表面には、星形状をなした装飾図柄３ａ、サンタクロースを模した装飾図柄３ｂやリボンやテープ、ベルなどを模した装飾図柄３ｃ、プレゼント箱を模した装飾図柄３ｄなどがそれぞれ印刷的手法で施されている。前記装飾図柄は金紗，銀紗などでレリーフ状になっていてもよい。
【００１４】
そして、前記基材３の表面には、吸・保液性を有する装飾部材４が複数個、所定の間隔をおいて配され、それぞれ接着剤などにより接触面が固定されている。
この例では、吸・保液性を有する装飾部材４は天然または合成の綿状体が用いられ、ふわりとした雪玉を模した形状にしている。装飾部材４は、場合によっては、繊維、スポンジ、海綿などオープンポアを備えた多孔性の素材であってもよい。
前記装飾図柄３ｂは装飾部材４の近傍に関連つけられ、装飾部材４を持ち上げたり、乗ったりしている様子を表している。
【００１５】
前記カード本体１の背面側この例ではカード基材３’の内面には、通常のものと同様に、少なくとも祝意の表示部３ｅたとえばMerry Christmasの文字が印刷的手法で施されている。さらにメッセージや受取人、贈り主などの記載部が設けられてもよい。
【００１６】
前記発光液セット２は、互いに混合されることにより化学反応で発光する第１の液体Ａを収容した容器５と第２の液体Ｂを収容した容器６と、これら容器５，６を隔離して装填密封した包装体７とからなっている。
【００１７】
前記両液体はたとえばサイリュームと呼ばれる物質であり、第１の液体Ａは、反応物質（ＴＣＣＰＯ）と蛍光物質（ＢＰＥＡ）と溶剤（ＤＢＰ）を配合した組成からなり、第２の液体Ｂは酸化剤（Ｈ２Ｏ2）と触媒（ＴＢＡＳ）と溶剤（ＤＭＰ）を配合した組成からなっており、混合されることにより、化学的に反応し、たとえば蛍光グリーン、蛍光ホワイト、蛍光ブルー、蛍光ピンクなど任意の色で発光する性質を持っている。
前記容器５，６はそれぞれ注出部５０，６０を有し、キャップ５ａ、６ａにより密閉されるようになっている。
【００１８】
本考案のキットは、図１のようになっており、装飾部材４は可縮性があるため、包装状態ではほぼ扁平である。したがって郵送などにおいてもかさばらない。
使用に際しては、図５のように、包装体７を開封して容器５，６を取り出し、カード本体１が扁平の状態のまま、あるいは図２，３のように起立させた状態で、まず容器５のキャップを取り外し、第１の液体Ａを注出部５０から装飾部材４に注出して染み込ませる。
【００１９】
ついで、容器６のキャップを取り外し、第２の液体Ｂを注出部６０から注出し、前記第１の液体Ａを染み込ませた装飾部材４に染み込ませる。
こうすれば、第１の液体Ａと第２の液体Ｂは装飾部材４に含浸された状態でおいて反応し、図４のように装飾部材４は一瞬のうちに蛍光色にボーッと美しく輝き、しかもかなり長時間にわたってこの状態が持続される。
したがって、立体的で幻想的な発光状態が創成され、周囲の明かりを消してもくっきりと浮かび上がり、背面を除く各方向から視認できるので、非常に興趣豊かな情景を生み出すことができる。
また、第１の液体Ａと第２の液体Ｂの塗布は、装飾部材４を選択して全部あるいは一部に行え、塗布量も加減できる。したがって、使用者独自の発光状態を作り出して楽しむことができる。
【００２０】
なお、図示するものは本考案のひとつの例であり、これに限定されることなく種々の態様を採用できる。
１）他方のカード基材３’の側にも立体的装飾部材４を取り付け、第１の液体Ａと第２の液体Ｂの塗布で発光させてもよい。
２）カード本体１は、平坦な形態の場合に限られず、各種のポップアップ型のものを含む。
３）クリスマス用に限らず、図６のように蛍の図柄と立体的装飾部材４を組み合わせた暑中見舞い用など各種グリーティングカードに適用される。
４）装飾部材の形状も、単純な球状に限らず、雲状、紐状あるいは動物、植物、天体、キャラクターなどさまざまなものを採用できる。
【実施例２】
【００２１】
図７と図８は本考案のグリーティングカードおよびそのキットの第２実施例を示している。
カード本体１のカード基材３に、シート状体で代表される平面物からなる吸・保液性を有する装飾部材４´が配されている。
この例では装飾部材４´は星形輪郭になっているが、さまざまな形状を採用し得る。
【００２２】
前記平面物からなる吸・保液性を有する装飾部材４´としては、綿類の層、綿状パルプ、不織布、多層の紙類、高分子ポリマーで代表される吸収体の単体あるいはこれらのいくつかの複合体などが挙げられる。
この第２実施例も第１実施例と同様に、第１の液体Ａを注出部５０から装飾部材４に注出して染み込ませ、ついで、容器６のキャップを取り外し、第２の液体Ｂを注出部６０から注出し、前記第１の液体Ａを染み込ませた装飾部材４´に染み込ませるもので、こうすれば、第１の液体Ａと第２の液体Ｂは装飾部材４´に含浸された状態でおいて反応し、装飾部材４´は一瞬のうちにその輪郭形状どおりに蛍光色にボーッと美しく輝き、しかもかなり長時間にわたってこの状態が持続される。
【００２３】
したがって、幻想的な発光状態が創成され、周囲の明かりを消してもくっきりと浮かび上がり、背面を除く各方向から視認できるので、非常に興趣豊かな情景を生み出すことができる。
また、第１の液体Ａと第２の液体Ｂの塗布は、装飾部材４´を選択して全部あるいは一部に行え、塗布量も加減できる。したがって、使用者独自の発光状態を作り出して楽しむことができる。
他の構成は第１実施例と同様であるから、重複を避けるため説明は援用する。
なお、本考案は、平面物からなる装飾部材４´と立体物からなる装飾部材４の両方を並存させたカードやそのキットを含み、また、装飾部材４、4´をカード基材に対する接着手段ともども別部品としてキット化したものを含む。
【図面の簡単な説明】
【００２４】
【図１】本考案によるグリーティングカードとそのキットの第１実施例を示す部分切欠平面図である。
【図２】第１実施例のグリーティングカードの斜視図である。
【図３】第１実施例のグリーティングカードの側面図である。
【図４】（ａ）は装飾部材の拡大図、（ｂ）は断面図である。
【図５】使用状態の斜視図である
【図６】装飾部材の他の例を示す正面図である。
【図７】本考案の第２実施例を示す正面図である。
【図８】図７の断面図である。
【符号の説明】
【００２５】
１  カード本体
２  発光液セット
３、３´  カード基材
４、４´  装飾部材
５  第１の液体を収容した容器
６  第２の液体を収容した容器
【図１】
0003107387.tif 000003
【図２】
0003107387.tif 000004
【図３】
0003107387.tif 000005
【図４】
0003107387.tif 000006
【図５】
0003107387.tif 000007
【図６】
0003107387.tif 000008
【図７】
0003107387.tif 000009
【図８】
0003107387.tif 000010